(57)【要約】【課題】筐体同士を連結する際に連結部の取り付け位置にズレが生じるのを抑え、筐体同士の重なりにズレが生じるのを防ぐことができる携帯端末装置を提供すること。【解決手段】携帯端末装置は、固定側筐体１００と可動側筐体とにネジ１１で締結されて両筐体を連結する２軸ヒンジ構造の連結部２５０を備え、固定側筐体１００及び可動側筐体の少なくとも一方に、連結部２５０を締結する際のネジ１１の回転方向に連結部２５０が移動するのを制止する側から連結部２５０に対して当接する当接部１０５ａ，１０５ｂ，２０６が形成されている。【選択図】        図３
2010074440.tif 000002
【特許請求の範囲】
【請求項１】
液晶表示モジュールを有する可動側筐体と、
操作キーを有する固定側筐体と、
前記可動側筐体及び前記固定側筐体にネジで締結され、前記固定側筐体に対して前記可動側筐体を開閉可能とする開閉軸と、前記開閉軸と略直交して前記可動側筐体を回転可能とする回転軸とで前記可動側筐体と前記固定側筐体とを連結する２軸ヒンジ構造の連結部と、を備える携帯端末装置であって、
前記可動側筐体及び前記固定側筐体の少なくとも一方に、前記連結部を締結する際のネジの回転方向に前記連結部が移動するのを制止する側から前記連結部に対して当接する当接部が形成されていることを特徴とする携帯端末装置。
【請求項２】
液晶表示モジュールを有する可動側筐体と、
操作キーを有する固定側筐体と、
前記可動側筐体及び前記固定側筐体にネジで締結され、前記固定側筐体に対して前記可動側筐体を開閉可能とする開閉軸と、前記開閉軸と略直交して前記可動側筐体を回転可能とする回転軸とで前記可動側筐体と前記固定側筐体とを連結する２軸ヒンジ構造の連結部と、前記連結部を覆うカバー部と、を備える携帯端末装置であって、
前記可動側筐体及び前記カバー部の少なくとも一方は、前記可動側筐体と前記カバー部との間隙に位置して前記固定軸に対する前記回転軸の角度を補正する角度補正パッドを有し、
前記可動側筐体又は前記カバー部のうち前記角度補正パッドと対向する面は平坦な面であることを特徴とする携帯端末装置。
【請求項３】
前記角度補正パッド部は、ポリアセタールを用いて構成されていることを特徴とする請求項２に記載の携帯端末装置。
【請求項４】
液晶表示モジュールを有する可動側筐体と、
操作キーを有する固定側筐体と、
前記可動側筐体及び前記固定側筐体にネジで締結され、前記固定側筐体に対して前記可動側筐体を開閉可能とする開閉軸と、前記開閉軸と略直交して前記可動側筐体を回転可能とする回転軸とで前記可動側筐体と前記固定側筐体とを連結する２軸ヒンジ構造の連結部と、前記連結部を覆うカバー部と、を備える携帯端末装置であって、
前記可動側筐体及び前記固定側筐体の少なくとも一方に、前記連結部を締結する際のネジの回転方向に前記連結部が移動するのを制止する側から前記連結部に対して当接する当接部が形成され、
前記可動側筐体及び前記カバー部の少なくとも一方は、前記可動側筐体と前記カバー部との間隙に位置して前記固定軸に対する前記回転軸の角度を補正する角度補正パッドを有し、
前記可動側筐体又は前記カバー部のうち前記角度補正パッドと対向する面は平坦な面であることを特徴とする携帯端末装置。
【発明の詳細な説明】
【技術分野】
【０００１】
この発明は、携帯端末装置に関し、特に２軸ヒンジ構造の連結部を有する携帯端末装置に関するものである。
【背景技術】
【０００２】
近年の携帯電話機は、携帯電話機を薄型化および小型化とする等の要望に応えるために、２つの筐体（固定側筐体と可動側筐体）を２軸ヒンジ構造の連結部を介して連結しているものが多い。２軸ヒンジ構造としては、例えば、固定側筐体に対して可動側筐体を開閉可能にする開閉軸と、開閉軸に直交する軸を中心に可動側筐体を回転可能にする回転軸との２軸を備える構造が用いられる（特許文献１参照）。
【０００３】
【特許文献１】特開２００５−２９９８３５号公報
【発明の開示】
【発明が解決しようとする課題】
【０００４】
このような携帯電話機では、固定側筐体と可動側筐体を連結する際に両筐体に対して連結部がネジで締結される。しかしながら、連結部をネジで締結する際に、ネジを締めこむトルクによって連結部の取り付け位置にズレが生じる場合がある。連結部の取り付け位置にズレが生じることで、携帯電話機を閉じたときに固定側筐体と可動側筐体との筐体同士の重なりにズレが生じるという問題がある。連結部の取り付け位置に生じたズレが僅かなものであっても、連結部から離れた部分では、取り付け位置のズレの影響が大きくなり、筐体同士の重なりのズレが大きくなってしまう。
【０００５】
開示の技術は、上述した従来技術による問題点を解消するためになされたものであり、筐体同士を連結する際に連結部の取り付け位置にズレが生じるのを抑えることで、筐体同士の重なりにズレが生じるのを防ぐことができる携帯端末装置を提供することを目的とする。
【課題を解決するための手段】
【０００６】
上述した課題を解決し、目的を達成するため、本願の開示する携帯端末装置は、一つの態様において、固定側筐体と可動側筐体とにネジで締結されて両筐体を連結する２軸ヒンジ構造の連結部を備え、固定側筐体及び可動側筐体の少なくとも一方に、連結部を締結する際のネジの回転方向に連結部が移動するのを制止する側から連結部に対して当接する当接部が形成されている。
【発明の効果】
【０００７】
本願の開示する携帯端末装置の一つの態様によれば、固定側筐体及び可動側筐体の少なくとも一方に、連結部を締結する際のネジの回転方向に連結部が移動するのを制止する側から連結部に対して当接する当接部が形成されているので、連結部をネジで締結する際に連結部の取り付け位置にズレが生じるのを抑え、筐体同士の重なりにズレが生じるのを防ぐことができるという効果を奏する。
【発明を実施するための最良の形態】
【０００８】
以下に添付図面を参照して、本願の開示する携帯端末装置の好適な実施の形態を詳細に説明する。本実施例は、携帯端末装置として携帯電話機への適用例を示す。なお、この実施例によりこの発明が限定されるものではない。 
【実施例】
【０００９】
ここで、図１は、実施例に係る携帯電話機１０の開状態を示す外観斜視図である。また、図２は、図１に示した携帯電話機１０が有する連結部２５０の外観斜視図である。携帯電話機１０は、固定側筐体１００、可動側筐体２００、ヒンジカバー（カバー部）３００を有して大略構成される。
【００１０】
携帯電話機１０は、送話用に用いられるとともに、数字（０〜９）のキーを有するテンキーパッド１０２および機能キー（モード設定キー）１０４などの各種操作キーを有する固定側筐体１００と、この固定側筐体１００と、ほぼ同等サイズに形成された可動側筐体２００とを連結部２５０（図２も参照）により開閉（折り畳み）自在に連結している。
【００１１】
図２に示すように、連結部２５０は、固定側取付部１２、第１回転部１４、第２回転部１６、可動側取付部１８を有している。固定側取付部１２は、連結部２５０を固定側筐体１００に取り付けるためのものである。固定側取付部１２には、取付孔１２ａ，１２ｂが形成されている。取付孔１２ａ，１２ｂを通したネジ１１で固定側取付部１２が固定側筐体１００に締結されることで、連結部２５０は固定側筐体１００に取り付けられる。
【００１２】
第１回転部１４は、固定側取付部１２に対して第１の軸（開閉軸）２０を中心に回転可能となっている。第１回転部１４は、この第１の軸２０を中心とした回転によって、固定側筐体１００に対して可動側筐体２００を開閉可能とする（図１も参照）。
【００１３】
第２回転部１６は、第１回転部１４に対して第２の軸（回転軸）２２を中心に回転可能となっている。第２の軸２２は、第１の軸と略直交しており、可動側筐体２００を回転可能とする。
【００１４】
可動側取付部１８は、第２回転部１６に対して一体的に形成されている。可動側取付部１８は、連結部２５０を可動側筐体２００に取り付けるためのものである。可動側取付部１８には、取付孔１８ａが形成されている。取付孔１８ａを通したネジ１１で可動側取付部１８が可動側筐体２００に締結されることで、連結部２５０は可動側筐体２００に取り付けられる。
【００１５】
すなわち、連結部２５０を固定側筐体１００および可動側筐体２００に取り付けることで、固定側筐体１００と可動側筐体２００とを連結するとともに、固定側筐体１００に対する可動側筐体２００を開閉自在とし、可動側筐体２００を第２の軸２２を中心とした回転自在とする。
【００１６】
固定側筐体１００は、テンキーパッド１０２などの各種操作キーを有する操作パネル１０１が配置された固定フロントケース１１０と、背面側（図１の下側）に位置する固定リアケース１２０との２分割構造を備えている。
【００１７】
同図に示すように、固定フロントケース１１０には、上述したテンキーパッド１０２、機能キー１０４や利用者の音声を電気信号に変換するマイクロホンが内部に配設された送話口１０３が設けられている。そして、これら両ケース１１０、１２０は、それぞれ４箇所の位置で取り付けネジ（図示せず）によるネジ止め固定により組み付けられている。
【００１８】
図３は、連結部２５０を取り付ける前の固定側筐体１００を示す図である。図４は、固定側筐体１００に連結部２５０を取り付けた状態を示す図である。固定側筐体１００には、連結部２５０を固定側筐体１００に取り付ける際にネジ１１をねじ込むためのネジ孔１００ａが形成されている。
【００１９】
固定側筐体１００には、当接リブ（当接部）１０５ａ，１０５ｂが形成されている。当接リブ１０５ａ，１０５ｂは、連結部２５０をネジ１１で固定側筐体１００に締結する際に、連結部２５０がネジ１１の回転方向に回転して、連結部２５０の取り付け位置にズレが生じるのを防ぐ。連結部２５０の取り付け位置のズレは、取付孔１２ａ，１２ｂの内径がネジ１１の外径よりもやや大きく形成されていること、および、ネジ１１を締結する際に加えられるトルクが摩擦力により連結部２５０にも加わることによって生じる。
【００２０】
ここで、当接リブ１０５ａが形成される位置は、取付孔１２ａを介して連結部２５０を締結する際に、ネジ１１の回転方向に連結部２５０が回転するのを制止する側（矢印Ｘに示す方向側）から連結部２５０に当接する位置となっている。また、当接リブ１０５ｂが形成される位置は、取付孔１２ｂを介して連結部２５０を締結する際に、ネジ１１の回転方向に連結部２５０が回転するのを制止する側（矢印Ｙに示す方向側）から連結部２５０に当接する位置となっている。なお、当接リブ１０５ａ，１０５ｂは、リブ同士が連結部２５０に対して対角となる位置に形成されている。
【００２１】
可動側筐体２００は、固定側筐体１００と略同一の平面寸法で形成されており、携帯電話機１０を閉じた状態で、両筐体はズレなく重なり合う（図１０も参照）。可動側筐体２００は、可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール（液晶表示モジュール）２０５を視認するための大型の表示パネル２０１が設けられている。
【００２２】
また、可動フロントケース２１０の上端部には、携帯電話機１０の使用者の耳を当てて音声を聞き取るための受話口２０２が設けられている。受話口２０２の内部には電気信号を音声に変換するスピーカが配設されている。これら、両ケース２１０、２２０もそれぞれ４箇所の位置で取り付けネジ(図示せず)により取り付け固定されるとともに、表示パネル２０１の上部位置には、ネジ用の目隠しカバー２０３が設けられている。
【００２３】
図５は、連結部２５０を取り付ける前の可動側筐体２００を示す図である。図６は、可動側筐体２００に連結部２５０を取り付けた状態を示す図である。可動側筐体２００には、連結部２５０を可動側筐体２００に取り付ける際にネジ１１をねじ込むためのネジ孔２００ａが形成されている。
【００２４】
可動側筐体２００には、当接リブ（当接部）２０６が形成されている。当接リブ２０６は、連結部２５０をネジ１１で可動側筐体２００に締結する際に、連結部２５０がネジ１１の回転方向に回転して、連結部２５０の取り付け位置にズレが生じるのを防ぐ。連結部２５０の取り付け位置のズレは、取付孔１８ａの内径がネジ１１の外径よりもやや大きく形成されていること、および、ネジ１１を締結する際に加えられるトルクが摩擦力により連結部２５０にも加わることによって生じる。
【００２５】
ここで、当接リブ２０６が形成される位置は、取付孔１８ａを介して連結部２５０を締結する際に、ネジ１１の回転方向に連結部２５０が回転するのを制止する側（矢印Ｚに示す方向側）から連結部２５０に当接する位置となっている。
【００２６】
図７に示すように、可動側筐体２００には、角度補正パッド２６０が設けられている。角度補正パッド２６０は、可動側筐体２００の連結側であって、可動側筐体２００が回転する第２の軸２２を挟んだ両側に配置されている。角度補正パッド２６０は、後に詳説するヒンジカバー３００と可動側筐体２００との間隙に位置するようになっている。角度補正パッド２６０は、携帯電話機１０を閉じた際に固定側筐体１００と可動側筐体２００との重なりにズレが生じていないときの、可動側筐体２００とヒンジカバー３００との間隔と略等しい厚みで形成されている。角度補正パッド２６０は、例えば、ポリアセタール等の摩擦係数の低い材料を用いて構成されている。これにより、角度補正パッド２６０とヒンジカバー３００が接触している場合であっても、角度補正パッド２６０とヒンジカバー３００との摩擦力に阻害されることなく可動側筐体２００を円滑に回転させることができる。
【００２７】
図８は、ヒンジカバー３００の外観斜視図である。ヒンジカバー３００は、連結部２５０のうち主に第１回転部１４部分を覆い、可動側筐体２００の開閉動作に伴って第１の軸２０を中心に回転する（図１も参照）。ヒンジカバー３００のうち可動側筐体２００に対向する対向面３００ａは平坦な面となっている。なお、上述した角度補正パッド２６０は、この対向面３００ａと可動側筐体２００とが成す間隙に位置する。
【００２８】
次に図９−１，図９−２を用いて、角度補正パッド２６０による第２の軸２２の角度の補正作用について説明する。例えば、連結部２５０の製造誤差により、第１の軸２０と第２の軸２２とが直交していない場合には、図９−１に示すように、可動側筐体２００とヒンジカバー３００との間隔が、角度補正カバー２６０の厚みとは異なるものとなる。しかし、角度補正パッド２６０を可動側筐体２００とヒンジカバー３００との間隙に位置させることで、図９−２に示すように、角度補正パッド２６０の厚みによって可動側筐体２００とヒンジカバー３００との間隔が適切なものに補正され、第１の軸２０に対する第２の軸２２の角度も適切な角度に補正される。すなわち、ヒンジカバー３００の対向面３００ａが角度補正パッド２６０に対応しており、可動側筐体２００とヒンジカバー３００との間隔が角度補正パッド２６０の厚みより小さくならないようになっている。
【００２９】
また、可動側筐体２００を第２の軸２２を中心に回転させた際に、第２の軸２２の角度がズレてしまう場合であっても、可動側筐体２００を図９−２の状態に戻せば、第２の軸２２の角度を適切な角度に戻すことができる。
【００３０】
また、角度補正パッド２６０に対応するヒンジカバー３００の対向面３００ａは平坦な面であるため、相手方が曲面である場合に比べて精度よく第２の軸２２の角度を補正することができる。図１０は、携帯電話機１０の閉じた状態の外観斜視図であるが、ヒンジカバー３００の両側に位置する領域Ａは、デザイン性等を考慮して曲面で構成されることが多い。しかし、本実施例の携帯電話機１０では、角度補正パッド２６０に対応する部分を平坦な面である対向面３００ａとしているため、携帯電話機１０のデザイン等に関わらず、第２の軸２２の角度補正を精度よく行うことができる。
【００３１】
また、ヒンジカバー３００は、可動側筐体２００とともに回転するので、角度補正パッド２６０に対応する部分を常に対向面３００ａとすることができる。これにより、可動側筐体２００の開閉の程度に関わらず、第２の軸２２の角度補正を精度よく行うことができる。
【００３２】
以上説明したように、本実施例の携帯電話機１０では、固定側筐体１００に形成された当接リブ１０５ａ，１０５ｂ及び可動側筐体２００に形成された当接リブ２０６が、連結部２５０をネジ１１で締結する際のネジ１１の回転方向に連結部２５０が回転するのを制止する方向から連結部２５０に当接するので、連結部２５０の取付位置にズレが生じるのを防ぐことができる。これにより、携帯電話機１０と閉じた際の、両筐体１００，２００の重なりにズレが生じるのを防ぐことができる。
【００３３】
また、固定側筐体１００の当接リブ１０５ａ，１０５ｂは、連結部２５０の固定側取付部１２に対して対角となる位置に形成されているので、固定側筐体１００に対して連結部２５０を取り付ける際に当接リブ１０５ａ，１０５ｂを利用して容易に位置決めをすることができる。
【００３４】
なお、本実施例では、可動側筐体２００に角度補正パッド２６０を設けているが、これに限られず、ヒンジカバー３００に角度補正パッド２６０を設けてもよい。また、可動側筐体２００とヒンジカバー３００の両方に角度補正パッド２６０を設けてもよい。
【図面の簡単な説明】
【００３５】
【図１】実施例に係る携帯電話機の開状態を示す外観斜視図である。
【図２】携帯電話機が有する連結部の外観斜視図である。
【図３】連結部を取り付ける前の固定側筐体を示す図である。
【図４】固定側筐体に連結部を取り付けた状態を示す図である。
【図５】連結部を取り付ける前の可動側筐体を示す図である。
【図６】可動側筐体に連結部を取り付けた状態を示す図である。
【図７】可動側筐体に設けられた角度補正パッドを説明するための図である。
【図８】ヒンジカバーの外観斜視図である。
【図９−１】第１の軸に対して第２の軸が直交していない状態を示す模式図である。
【図９−２】角度補正パッドによって第２の軸の角度が補正された状態を示す模式図である。
【図１０】携帯電話機の閉状態を示す図である。
【符号の説明】
【００３６】
１０  携帯電話機（携帯端末装置）
２０  第１の軸（開閉軸）
２２  第２の軸（回転軸）
１００  固定側筐体
１０５ａ，１０５ｂ  当接リブ（当接部）
２００  可動側筐体
２０５  ＬＣＤモジュール（液晶表示モジュール）
２０６  当接リブ（当接部）
２５０  連結部
２６０  角度補正パッド
３００  ヒンジカバー
【図１】
2010074440.tif 000003
【図２】
2010074440.tif 000004
【図３】
2010074440.tif 000005
【図４】
2010074440.tif 000006
【図５】
2010074440.tif 000007
【図６】
2010074440.tif 000008
【図７】
2010074440.tif 000009
【図８】
2010074440.tif 000010
【図９−１】
2010074440.tif 000011
【図９−２】
2010074440.tif 000012
【図１０】
2010074440.tif 000013